(57)【要約】【課題】作業の妥当性を詳細に検証し、保全作業を適切に実施して終了した場合の作業時間を計測できる昇降機の保全作業評価手段。【解決手段】作業員が所持する携帯端末３からの作業開始入力３１で起動し、作業終了入力３２で停止するタイマー２２を備え、外部回線４を介し保全会社の保全情報データベース５と情報を授受する通信手段２１と、予め記憶した保全作業で発生する作業予定動作２３ｃと、保全作業時の昇降機制御装置１から得る昇降機の動作履歴２３ｂと、携帯端末３からの入力情報から成る操作履歴２３ａとを自動的に記憶する記憶手段２３と、記憶手段２３の作業予定動作２３ｃと動作履歴２３ｂ並びに操作履歴２３ａを照合する照合手段２４を備え、照合手段２４は結果がすべて一致した場合タイマー２２の計測時間を作業完了情報２６の作業時間２５として保全作業データベース５に登録し、結果が不一致の場合にタイマー２２をリセットし携帯端末３に保全作業内容が不備である事を通知する。【選択図】図１
2005154106.tif 000002
【特許請求の範囲】
【請求項１】
保全作業員が所持する携帯端末からの測定開始入力によって起動し、また測定終了入力によって停止するタイマーを備え、保全作業に要した時間を計測する保全作業評価手段において、外部回線を介し保全会社の保全情報データベースと情報を授受する通信手段と、予め記憶した保全作業で発生する作業予定動作と、保全作業時の昇降機制御装置から得る昇降機の動作履歴と、携帯端末からの入力情報から成る操作履歴とを自動的に記憶する記憶手段と、前記記憶手段の前記作業予定動作と前記動作履歴並びに前記操作履歴を照合する照合手段を備え、前記照合手段は照合結果がすべて一致した場合に前記タイマーの計測時間を作業完了情報の作業時間として前記保全作業データベースに登録し、照合結果が不一致の場合に前記タイマーをリセットし前記携帯端末に保全作業内容が不備である事を通知することを特徴とする昇降機の保全作業評価手段。
【発明の詳細な説明】
【技術分野】
【０００１】
本発明は、昇降機の保全作業における作業時間を計測する昇降機の保全作業評価手段に関する。
【背景技術】
【０００２】
昇降機の保全作業は、昇降機の機種の増加や、稼働年数の長期化、昇降機が稼働している地域性を考慮し、作業方法、運行維持に必要な管理値の測定項目などが多様化している。また、保全作業員においても、多様化している保全作業により、多くの知識の習得や技能の熟練が早急に必要とされている。更に、顧客要望によって作業時間の制約があり、作業実施項目の組合せを最適に計画する必要がある。
【０００３】
このため、保全作業の適正化や、作業員の技能評価においては保全に要する作業時間を詳細分析する必要がある。
【０００４】
保全作業に要する時間を計測する手段として、エレベーターを駆動制御するエレベーター制御装置と、エレベーター制御装置からのエレベーターの動作情報を中央監視装置に伝送する通信装置と、この通信装置にタイマー回路を備え、エレベーターの保守点検作業を開始する際に保守員が操作する作業スイッチがオンすることによってタイマーを起動し、作業時間の計測を開始する。計測時間が所定の監視時間を経過した場合、保守員に異常が発生したことを発報し、監視時間内に作業スイッチがオフした場合、保全作業が適正に終了したと判断し計測を終了する。そして、保全作業中にエレベーター制御装置から得られるエレベーターの動作状態によって保全作業が適正に行われていることを判断してタイマーの計測を初期化する構成が知られている（特許文献１参照）。
【特許文献１】特開平６−１６３５４号公報（段落００１３〜００１９、図１）
【発明の開示】
【発明が解決しようとする課題】
【０００５】
ところで、上記従来の技術では、作業時間計測中にエレベーター動作状態を判断して適正な作業であるとき、タイマー回路を初期化してしまい保全作業に要した時間を知るための考慮がなされていない問題があった。
【０００６】
また、エレベーター制御装置から得られるエレベーター動作状態ないしエレベーターの状態の変化によって作業が適正かを判断しており、そのエレベーター動作状態は作業員の意図した動作か、性能を維持するための管理値測定などが行われたかが考慮されておらず、作業の詳細な検証が困難である問題があった。
【０００７】
本発明は、上記従来の技術における実状を鑑みてなされたもので、その目的は、作業の妥当性を詳細に検証し、保全作業を適切に実施して終了した場合の作業時間を計測することができる昇降機の保全作業評価手段を提供することにある。
【課題を解決するための手段】
【０００８】
上記目的を達成するため本発明の請求項１にかかわる発明は、保全作業員が所持する携帯端末からの測定開始入力によって起動し、また測定終了入力によって停止するタイマーを備え、保全作業に要した時間を計測する保全作業評価手段において、外部回線を介し保全会社の保全情報データベースと情報を授受する通信手段と、予め記憶した保全作業で発生する作業予定動作と、保全作業時の昇降機制御装置から得る昇降機の動作履歴と、携帯端末からの入力情報から成る操作履歴とを自動的に記憶する記憶手段と、前記記憶手段の前記作業予定動作と前記動作履歴並びに前記操作履歴を照合する照合手段を備えた構成とした。
【０００９】
このように構成した請求項１に係わる発明では、前記照合手段は照合結果がすべて一致した場合に前記タイマーの計測時間を作業完了情報の作業時間として前記保全作業データベースに登録し、照合結果が不一致の場合に前記タイマーをリセットし前記携帯端末に保全作業内容が不備である事を通知することにより、目標を達成できる。
【発明の効果】
【００１０】
本発明によれば、作業の妥当性を詳細に検証し、保全作業を適切に実施して終了した場合の作業時間を計測することができる。
【発明を実施するための最良の形態】
【００１１】
以下、本発明の昇降機の保全作業評価手段を実施するため最良形態を図に基づき説明する。
【００１２】
図１は本発明の実施形態に係わる昇降機の保全作業評価手段を示す説明図、図２は保全作業評価手段の動作を示す動作説明図である。
【００１３】
図１において、昇降機の運行を制御する昇降機制御装置１には遠隔監視装置２を設けてあり、保全作業時は遠隔監視装置２に保全作業員が所持する携帯端末３を接続して情報の授受や、昇降機の動作指示を行っている。また、遠隔監視装置２は、通信手段２１を備え外部回線４を介して保全会社の保全作業データーベース５に接続している。
【００１４】
そして、この遠隔監視装置２には、携帯端末３からの作業開始入力３１によって時間計測を開始し、携帯端末３からの作業終了入力３２によって時間計測を終了するタイマー２２と、記憶手段（メモリ）２３と、この記憶手段２３の内容を照合する照合手段（ＣＰＵ）２４を備えている。記憶手段２２は、携帯端末３からの操作入力３３を操作来歴２３ａとして記憶し、昇降機制御装置１からの昇降機動作を動作来歴２３ｂとして記憶し、また、保全作業データベース５からの情報の作業予定動作２３ｃとして記憶する。照合手段２４は記憶手段２３の内容照合結果によって、タイマー２２を制御し、また、携帯端末３に情報表示する。
【００１５】
このように構成した昇降機の保全作業評価手段の動作を図２を使用して説明する。まず、保全作業当該作業時間以前に保全データベース５から、保全作業項目と、その作業によって発生する作業動作などの情報を、外部回線４を介して、通信手段２１により記憶手段２３に作業予定動作２３ｃとして記憶する（Ｓ１）。その後、保全作業員が該当昇降機に赴き携帯端末３を遠隔監視装置２に接続すると、携帯端末３に当日の作業項目を表示する（Ｓ２）。その作業項目を参照後、作業員が作業に取り掛かるとき、形態端末３から作業開始３１を入力すると（Ｓ３）、タイマー２２が時間計測を開始する（Ｓ４）。そして、作業によって生じる操作や、昇降機の動作の履歴を記憶手段２３にそれぞれ、操作履歴２３ａ及び動作履歴２３ｂとして遂次記記憶する（Ｓ５）。この操作履歴に２３ａには性能維持のための管理値測定結果入力も含まれる。次に、作業員が作業を終え、携帯端末３から作業終了３２を入力すると（Ｓ６）、タイマー２２が時間計測を終了する（Ｓ７）。タイマー２２が計測終了後、記憶手段２３に記憶してある、作業予定動作２３ｃと作業によって生じた操作履歴２３ａ及び動作履歴２３ｂを照合手段２４で照合する（Ｓ８）。照合手段２３による照合結果が全て一致する場合は、タイマー２２の計測値を作業時間２５として、記憶手段の操作履歴２３ａ、動作履歴２３ｂと共に作業完了情報２６として、保全作業データベース５に送信する（Ｓ９）。照合手段２３による照合結果が一致しない場合は、作業に不備があり適正な作業が行われなかったものとして、携帯端末３に作業不備であることと、作業を再度実施するよう通知して（Ｓ１０）、タイマー２２をリセットする（Ｓ１１）。
【００１６】
上述のように構成した実施形態では、作業の妥当性を詳細に検証し、保全作業を適切に実施して終了した場合の作業時間を計測することができる。
【図面の簡単な説明】
【００１７】
【図１】昇降機の保全作業評価手段を示す説明図である。
【図２】保全作業評価手段の動作を示す動作説明図である。
【符号の説明】
【００１８】
１  昇降機制御装置
２  遠隔監視装置
３  携帯端末
４  外部回線
５  保全作業データベース
２１  通信手段
２２  タイマー
２３  記憶手段（メモリ）  
２４  照合手段（ＣＰＵ）
２３ａ  操作来歴
２３ｂ  動作来歴
２３ｃ  作業予定動作
３１  作業開始入力
３２  作業終了入力
３３  操作入力
【図１】
2005154106.tif 000003
【図２】
2005154106.tif 000004